(57)【要約】【課題】受信面の面積が大きく、受信方向を変更できるアンテナを備えた撮像装置、一眼レフカメラおよび交換レンズの保護カバーを提供する。【解決手段】本発明の撮像装置１Ａは、撮像素子１２３と、撮像素子１２３に被写体像を結像させる撮影光学系１２１と、撮影装置１Ａの筐体に回動可能に設けられ、撮影光学系１２１のレンズ前面を開閉する保護部材１０Ａと、保護部材１０Ａに設けられたアンテナ１３１Ａとを備える。【選択図】図２
2009282072.tif 000002
【特許請求の範囲】
【請求項１】
撮像素子と、
前記撮像素子に被写体像を結像させる撮影光学系と、
撮影装置の筐体に回動可能に設けられ、前記撮影光学系のレンズ前面を開閉する保護部材と、
前記保護部材に設けられたアンテナとを備えることを特徴とする撮像装置。
【請求項２】
請求項１に記載の撮像装置において、
前記保護部材の開閉位置に応じてアンテナ面が可変となるように前記アンテナが前記保護部材の内部に設けられ、
前記保護部材を任意の角度位置で保持する保持機構を有することを特徴とする撮像装置。
【請求項３】
請求項２に記載の撮像装置において、
前記保護部材は、カメラ筐体に対して上下または左右に開閉するように前記筐体に回転機構により保持されていることを特徴とする撮像装置。
【請求項４】
請求項２に記載の撮像装置において、
前記アンテナは測位用人工衛星からの電波を受信するアンテナであり、
前記電波を受信して位置情報を演算する演算回路と、
前記撮影装置の電源がオフであっても、前記保護部材が前記レンズ前面を開放すると前記演算回路による前記演算を開始する制御回路とを有することを特徴とする撮像装置。
【請求項５】
請求項２に記載の撮像装置において、
前記アンテナは放送電波を受信するアンテナであり、
前記放送電波を受信して再生して再生信号を生成する再生回路と、
前記撮影装置の電源がオフであっても、前記保護部材が前記レンズ前面を開放すると前記再生回路を起動する制御回路と、
前記再生信号を映像および音声として、または音声のみとして出力する出力装置とを有することを特徴とする撮像装置。
【請求項６】
請求項２に記載の撮像装置において、
前記アンテナは無線ＬＡＮに供するアンテナであり、
前記無線ＬＡＮの送信機および受信機と、
前記撮像素子で撮像された被写体像の画像データを記憶する記憶装置と、
前記保護部材が前記レンズ前面を開放するタイミングもしくは閉鎖するタイミングで、前記記憶装置に記憶されている画像データを前記送信機および前記アンテナを介して送信する制御回路とを有することを特徴とする撮像装置。
【請求項７】
撮像素子と、
カメラ本体に着脱可能に装着され、前記撮像素子に被写体像を結像させる交換レンズと、
前記交換レンズに着脱する取付部、および前記取付部に設けられて前記交換レンズのレンズ前面を開閉する開閉カバーを含む保護部材と、
前記開閉カバーに内蔵したアンテナと、
前記アンテナで受信した電波信号を処理する処理回路とを備えることを特徴とする一眼レフカメラ。
【請求項８】
請求項７に記載の一眼レフカメラにおいて、
前記開閉カバーの開閉位置に応じてアンテナ面が可変となるように前記アンテナが前記開閉カバーの内部に設けられ、
前記開閉カバーを任意の角度位置で保持する保持機構を有することを特徴とする一眼レフカメラ。
【請求項９】
請求項７または８に記載の一眼レフカメラにおいて、
前記保護部材は、前記交換レンズの軸心を中心とした任意の角度位置に保持可能としたことを特徴とする一眼レフカメラ。
【請求項１０】
請求項７乃至９のいずれか１項に記載の一眼レフカメラにおいて、
前記処理回路は前記保護部材に内蔵されるとともに、前記アンテナと前記処理回路に給電する電源回路も前記保護部材に内蔵したことを特徴とする一眼レフカメラ。
【請求項１１】
交換レンズに着脱可能に設けられ、前記交換レンズのレンズ前面を開閉する保護カバーであって、
前記交換レンズの先端に着脱可能に取り付けられるアダプタと、
前記アダプタの前面に開閉可能に設けられる開閉カバーと、
前記開閉カバーに設けられ、電波信号を受信するアンテナと、
前記アンテナで受信した電波を信号処理する処理回路と、
前記処理回路で処理した信号をカメラ本体の制御回路に送信する送信機と、
前記アンテナ、前記処理回路、および前記送信機に給電する電源回路と備えることを特徴とする交換レンズの保護カバー。
【請求項１２】
請求項１１に記載の交換レンズの保護カバーにおいて、
前記開閉カバーの開閉位置に応じてアンテナ面が可変となるように前記アンテナが前記開閉カバーの内部に設けられ、
前記開閉カバーを任意の角度位置で保持する保持機構を有することを特徴とする交換レンズの保護カバー。
【発明の詳細な説明】
【技術分野】
【０００１】
本発明は、アンテナを備えた撮像装置、一眼レフカメラおよび交換レンズの保護カバーに関する。
【背景技術】
【０００２】
カメラ本体に設けられた金具をアンテナと兼用するカメラが従来技術として知られている（たとえば、特許文献１参照）。
【特許文献１】特開２００６−１５４２７８号公報
【発明の開示】
【発明が解決しようとする課題】
【０００３】
特許文献１に記載のカメラでは、アンテナの面積が小さく、アンテナの受信方向を変更できないという問題点がある。
【課題を解決するための手段】
【０００４】
本発明の第１の態様によると、撮像装置は、撮像素子と、撮像素子に被写体像を結像させる撮影光学系と、撮影装置の筐体に回動可能に設けられ、撮影光学系のレンズ前面を開閉する保護部材と、保護部材に設けられたアンテナとを備える。
本発明の第２の態様によると、一眼レフカメラは、撮像素子と、カメラ本体に着脱可能に装着され、撮像素子に被写体像を結像させる交換レンズと、交換レンズに着脱する取付部、および取付部に設けられて交換レンズのレンズ前面を開閉する開閉カバーを含む保護部材と、開閉カバーに内蔵したアンテナと、アンテナで受信した電波信号を処理する処理回路とを備える。
本発明の第３の態様によると、交換レンズの保護カバーは、交換レンズに着脱可能に設けられ、交換レンズのレンズ前面を開閉する保護カバーであって、交換レンズの先端に着脱可能に取り付けられるアダプタと、アダプタの前面に開閉可能に設けられる開閉カバーと、開閉カバーに設けられ、電波信号を受信するアンテナと、アンテナで受信した電波を信号処理する処理回路と、処理回路で処理した信号をカメラ本体の制御回路に送信する送信機と、アンテナ、処理回路、および送信機に給電する電源回路と備える。
【発明の効果】
【０００５】
本発明によれば、アンテナの面積が大きく、受信方向を変更できるアンテナを撮像装置または一眼レフカメラに備えることができる。
【発明を実施するための最良の形態】
【０００６】
−第１の実施の形態−
以下、図を参照して本発明の第１の実施の形態による撮像装置（カメラ）を説明する。
【０００７】
図１は撮像装置１Ａを示す図である。撮像装置１Ａは、保護部材１０Ａにアンテナ機能を付加させている。図１（ａ）は撮像装置１Ａを斜め前方から眺めた図である。図１（ａ）に示すように、撮像装置１Ａの正面には、保護部材１０Ａと、被写体を照明する照明装置１０８とが設けられている。保護部材１０Ａは、レンズ開口部全体を覆うことによりレンズ開口部を遮光し保護するので、撮像装置１を正面から眺めたときの保護部材１０Ａの面積は大きくなる。撮像装置１Ａの上面にはレリーズボタン１０３Ａが設けられている。
【０００８】
保護部材１０Ａは、保護部材１０Ａの上辺部を中心に上下方向回転可能にカメラ本体に設けられている。図１（ｂ）に示すように、保護部材１０Ａを回転して開放すると、撮影光学系のレンズ１２１ａが露出する。なお、レンズ１２１ａは沈胴式でも固定式でもよい。
【０００９】
保護部材１０Ａには、ＧＰＳ（Global Positioning System）用のアンテナ（以下、ＧＰＳ用アンテナと呼ぶ）が内蔵されている。上述したように保護部材１０Ａの面積が大きいので、保護部材１０Ａに内蔵しているＧＰＳ用アンテナの面積を大きくすることができる。また、保護部材１０Ａは回転可能に設けられているので、ＧＰＳ用アンテナの受信方向を変更することができる。つまり、保護部材１０Ａの開閉位置に応じてアンテナ面が可変となるようにＧＰＳ用アンテナが保護部材１０Ａの内部に設けられ、保護部材１０Ａを任意の角度位置で保持することができる。ユーザは、ＧＰＳ用アンテナを使用して計測した位置の情報を撮影した画像のデータに付加することができる。
【００１０】
図２は、撮像装置１Ａの構成を説明するブロック図である。図２において撮像装置１Ａは、制御回路１０１と、メモリ１０２と、操作部１０３と、表示モニタ１０４と、スピーカ１０５と、外部インターフェイス（Ｉ／Ｆ）回路１０６と、測光装置１０７と、照明装置１０８と、メモリカードインターフェイス（Ｉ／Ｆ）１０９と、撮像部１２０と、ＧＰＳ用アンテナ１３１Ａと、ＧＰＳ回路１３２Ａとを備え、メモリカードインターフェイス１０９にはメモリカード１５０が実装される。
【００１１】
制御回路１０１は、制御プログラムに基づいて、撮像装置内各部から入力される信号を用いて所定の演算を行う。制御回路１０１は、撮像装置内各部に対する制御信号を送出することにより、撮像装置１Ａの撮影動作および投影動作をそれぞれ制御する。なお、制御プログラムは制御回路１０１内の不図示のＲＯＭに格納される。
【００１２】
メモリ１０２は、制御回路１０１の作業用メモリとして使用される。操作部１０３はレリーズボタン１０３Ａなどを含み、操作されたボタンに対応する操作信号を制御回路１０１へ送出する。メモリカード１５０は、メモリカードインターフェイス１０９に着脱可能な外部記録媒体であり、制御回路１０１の指示により、該メモリカードへの画像データの書き込み、および該メモリカードからの画像データの読み出しが可能である。
【００１３】
表示モニタ１０４は、制御回路１０１からの指示により画像やテキストなどの情報を表示する。スピーカ１０５は、制御回路１０１からの指示により音声を出力する。外部インターフェイス回路１０６は、制御回路１０１からの指示により不図示のケーブルを介して外部機器（パーソナルコンピュータ、プリンタなど）との間でコマンドおよびデータを送受信する。
【００１４】
測光装置１０７は、測光センサによる検出信号を算出し、輝度情報を制御回路１０１へ送出する。制御回路１０１は輝度情報に基づき、シャッター速度や絞り値等の露出設定値を算出する。照明装置１０８は、撮影時に制御回路１０１から発光指示された場合に所定光量で、たとえば閃光発光し、被写体を照明する。照明光は撮像装置前方へ射出される。
【００１５】
撮像部１２０は、撮影光学系１２１、撮像素子１２２および撮像制御回路１２３を有し、制御回路１０１からの指示に応じて被写体の撮像を行う。撮影光学系１２１は、撮像素子１２２の撮像面上に被写体像を結像させる。撮像素子１２２としては、ＣＣＤ撮像素子やＣＭＯＳ撮像素子などが用いられる。撮像制御回路１２３は、制御回路１０１からの指示により撮像素子１２２を駆動制御するとともに、撮像素子１２２から出力される画像信号に対して所定の信号処理を行う。信号処理後の画像のデータは、所定形式の画像ファイルとしてメモリカード１５０に記録される。
【００１６】
ＧＰＳ用アンテナ１３１Ａは、ＧＰＳ用（測位用）の人工衛星から送信された電波を受信する。ＧＰＳ回路１３２Ａは、人工衛星から送信された電波の伝播時間および人工衛星の位置に基づいて、撮像装置１Ａの位置を計測する。正確な時計に同期して人工衛星から電波が送信されるので、ＧＰＳ回路１３２Ａは、電波の受信時間から伝播時間を算出することができる。また、人工衛星から送信される電波には、人工衛星の軌道データが含まれており、ＧＰＳ回路１３２Ａは、その軌道データから人工衛星の位置を算出することができる。ＧＰＳ用アンテナ１３１Ａは保護部材１０に内蔵され、ＧＰＳ回路１３２Ａは、撮像装置１Ａの本体に内蔵されている。
【００１７】
以上説明した第１の実施の形態によれば、次の作用効果が得られる。
（１）ＧＰＳ用アンテナ１３１Ａを保護部材１０Ａに設けた。これにより、アンテナの面積が大きく、受信方向を変更できるＧＰＳ用アンテナ１３１Ａを撮像装置１Ａにコンパクトに設けることができる。また、保護部材１０ＡをそのままＧＰＳ用アンテナ１３１Ａとして使用できるので、別途ＧＰＳアンテナを取り付ける必要はない。
【００１８】
（２）撮影中、ユーザが保護部材１０Ａに触れることが少ない。したがって、ＧＰＳ用アンテナ１３１Ａが設けられている部分（保護部材１０Ａ）に手を触れて、ＧＰＳ用アンテナ１３１Ａの受信感度が低下したり、受信感度のピークがシフトしたりすることがない。
【００１９】
以上の第１の実施の形態を次のように変形することができる。
保護部材１０Ａは、保護部材１０Ａの上辺部を中心に上下方向回転可能に設けられている。しかし、図３（ａ）に示す撮像装置１Ｂのように、ボールジョイント１１Ｂを用いて保護部材１０Ｂを撮像装置１Ｂ本体と接続し、保護部材１０Ｂに内蔵されたＧＰＳ用アンテナの受信面の方向を自在に変えられるようにしてもよい。また、図３（ｂ）に示す撮像装置１Ｃのように、上下方向回転のほかに上下方向回転１１Ｃの軸心に対して垂直方向の軸心を中心に保護部材１０Ｃを回転可能１２Ｃとし、保護部材１０Ｃに内蔵されたＧＰＳ用アンテナの受信面の方向を自在に変えられるようにしてもよい。これにより、レンズバリア１０Ｂ，１０Ｃに内蔵されたＧＰＳ用アンテナの、人工衛星から送信される電波に対する受信感度を上げることができる。
【００２０】
−第２の実施の形態−
以下、図を参照して本発明の第２の実施の形態による一眼レフカメラ１Ｄを説明する。
【００２１】
図４は第２の実施の形態による一眼レフカメラ１Ｄを示す図である。一眼レフカメラ１Ｄには交換レンズ１２４が取り付けられている。交換レンズ１２４の先端には保護部材（保護カバー）１０Ｄが装着される。保護部材１０Ｄは、開閉カバー１３Ｄと保護部材取付け部１４Ｄから構成される。開閉カバー１３ＤはＧＰＳ用アンテナを内蔵している。保護部材１０Ｄは不図示のケーブルで一眼レフカメラ１Ｄと接続している。
【００２２】
図４（ａ）に示すように、開閉カバー１３Ｄは、ヒンジ１５Ｄを用いて保護部材取付け部１４Ｄに取り付けられる。これにより、図４（ｂ）に示すように、開閉カバー１３Ｄは保護部材取付け部１４Ｄに対して開閉可能になる。つまり、開閉カバー１３Ｄの開閉位置に応じてアンテナ面が可変となるようにＧＰＳ用アンテナが開閉カバー１３Ｄの内部に設けられ、開閉カバー１３Ｄを任意の角度位置で保持することができる。
【００２３】
図４（ｃ）に示すように、保護部材１０Ｄは、交換レンズ１２４の光軸を中心に、回転可能に設けられている。これにより、ユーザは、一眼レフカメラ１Ｄを９０°傾けて撮影を行う（縦位置撮影の）場合も、保護部材１０Ｄを９０°回転することにより、開閉カバー１３Ｄを天上側に向けることができる。
【００２４】
図５（ａ）に示すように、保護部材１０Ｄは交換レンズ１２４に対して脱着可能である。これにより、保護部材１０Ｄを他の交換レンズに取り付けることができる。図５（ｂ）に示すように保護部材取付け部１４Ｄは固定部１４ａと回転部１４ｂとを有する。固定部１４ａはネジ１４ｃによって交換レンズ１２４に固定される。回転部１４ｂは固定部１４ａに対して、交換レンズ１２４の光軸を中心に回転可能に設けられている。
【００２５】
一眼レフカメラ１Ｄの構成は、撮影光学系１２１（図２参照）を交換レンズ１２４に置き換える点、保護部材１０Ａ（図２参照）を開閉カバー１３に置き換える点以外は、撮像装置１Ａとあまり変わらないので、一眼レフカメラ１Ｄの構成の説明は省略する。
【００２６】
以上説明した第２の実施の形態によれば、次の作用効果が得られる。
（１）ＧＰＳ用アンテナを交換レンズ１２４の先端に取り付ける保護部材１０Ｄの開閉カバー１３Ｄに設けた。これにより、アンテナの面積が大きく、受信方向を変更できるＧＰＳ用アンテナを一眼レフカメラ１Ｄにコンパクトに設けることができる。また、交換レンズ１２４の保護部材１０ＤをそのままＧＰＳ用アンテナとして使用できるので、別途ＧＰＳアンテナを取り付ける必要はない。
【００２７】
（２）保護部材１０Ｄは、撮影中にユーザが触れることが少ない部分に設けられている。したがって、ＧＰＳ用アンテナが設けられている部分（保護部材１０Ｄの開閉カバー１３Ｄ）に手を触れて、ＧＰＳ用アンテナの受信感度が低下したり、受信感度のピークがシフトしたりすることがない。
【００２８】
（３）保護部材１０Ｄは、一眼レフカメラ１Ｄの本体から離れている位置に設けられているので、一眼レフカメラ１Ｄの本体から発生するノイズの影響を低減することができる。ＧＰＳ用アンテナの特性はノイズの影響を受けるので、これにより、ＧＰＳ用アンテナの特性を損なうことなく、人工衛星からの電波を受信できる。
【００２９】
−第３の実施の形態−
図６は第３の実施の形態による一眼レフカメラ１Ｅを示す図である。一眼レフカメラ１Ｅには、第２の実施の形態による一眼レフカメラ１Ｄと同様に、交換レンズ１２４が取り付けられている。また、第２の実施の形態と同様に、交換レンズ１２４の先端には保護部材（保護カバー）１０Ｅが装着される。保護部材１０Ｅは、開閉カバー１３Ｅと保護部材取付け部（アダプタ）１４Ｅから構成される。開閉カバー１３Ｅは、保護部材取付け部１４Ｅに脱着可能に取り付けられている。また開閉カバー１３Ｅは、ＧＰＳ用アンテナ１３１Ｅと、ＧＰＳ回路１３２Ｅと、ＧＰＳ回路１３２Ｅに電力を供給する電源１３３Ｅとを内蔵している。開閉カバー１３Ｅの脱着面と反対側の面に挟み部材（クリップ）１６Ｅが設けられており、図７に示すように、取り外した開閉カバー１３Ｅを人の頭の上などの人工衛星から送信される電波を受信しやすい位置に取り付けることができる。なお、開閉カバー１３Ｅを任意の角度位置で保持する保持部材であれば、挟み部材１６Ｅに限定されない。
【００３０】
以上説明した第３の実施の形態によれば、次の作用効果が得られる。
（１）交換レンズ１２４の先端に取り付けられた保護部材１０Ｅにおいて脱着可能に取り付けられた開閉カバー１０ＥにＧＰＳ用アンテナ１３１Ｅの機能を持たせるようにした。したがって、保護部材１０ＥをそのままＧＰＳ用アンテナとして使用でき、ＧＰＳ用アンテナを別途取り付けないで、アンテナの受信面の面積が大きく、受信方向を変更できるＧＰＳ用アンテナを一眼レフカメラ１Ｅに備えることができる。
【００３１】
（２）開閉カバー１３Ｅは、ＧＰＳ用アンテナ１３１Ｅと、ＧＰＳ回路１３２Ｅと、電源１３３Ｅとを内蔵しているので、ＧＰＳ回路１３２Ｅは、一眼レフカメラ１Ｅの動作と独立に一眼レフカメラ１Ｅの位置の計測ができ、一眼レフカメラ１Ｅの利便性が向上する。たとえば、一眼レフカメラ１Ｅの電源をオン状態にする前に、ＧＰＳ回路１３２Ｅを起動して、一眼レフカメラ１Ｅの起動と同時に測位を行うようにすることができる。また、一眼レフカメラ１Ｅから開閉カバー１３Ｅを取り外し、人工衛星からの電波を受信しやすい位置に取り付けることができ、便利である。さらに、一眼レフカメラ１Ｅから離れた位置に開閉カバー１３Ｅを取り付けることができるので、ＧＰＳ用アンテナ１３１Ｅに対する一眼レフカメラ１Ｅが発生するノイズの影響を低減することができる。
【００３２】
以上の第３の実施の形態を次のように変形することができる。
（１）ＧＰＳ回路１３２Ｅが計測した一眼レフカメラ１Ｅの位置の情報は、開閉カバー１３Ｅが保護部材取付け部１４Ｅに再び取り付けられたとき、接触通信手段で一眼レフカメラ撮像装置１Ｅに送信されるようにしてもよい。たとえば、開閉カバー１４Ｅに、保護部材取付け部１４Ｅに取り付けたとき、保護部材取付け部１４Ｅと電気的に接続する端子を設けて、端子を通じて位置情報を有する電気信号を保護部材取付け部１４Ｅに送信するようにしてもよい。この場合、保護部材取付け部１４Ｅは、不図示のケーブルによって一眼レフカメラ１Ｅと接続している。
【００３３】
（２）ＧＰＳ回路１３２Ｅが計測した一眼レフカメラ１Ｅの位置の情報は、非接触通信手段で開閉カバー１３Ｅから一眼レフカメラ１Ｅに送信されるようにしてもよい。たとえば、非接触通信手段として、電波を使用して情報を送信する無線手段がある。開閉カバー１３Ｅが一眼レフカメラ１Ｅから取り外されているときも、開閉カバー１３Ｅから一眼レフカメラ１Ｅへ計測した位置情報を送信することができるので便利である。
【００３４】
また、一眼レフカメラは可視光を検出する撮像素子を備えているので、可視光を利用して、一眼レフカメラへ計測した位置情報を送信するようにしてもよい。たとえば、図８に示すように、開閉カバー１３Ｆを保護部材取付け部１４Ｆに嵌め込んで交換レンズ１２４のレンズ１２４ａを覆ったとき、レンズ１２４ａと対向する位置にＬＥＤ光源１７Ｆを開閉カバー１３Ｆに設けるようにしてもよい。開閉カバー１３Ｆを保護部材取付け部１４Ｆに嵌め込んだとき、ＧＰＳ回路が計測した位置情報を変調した可視光をＬＥＤ光源から放射する。ＬＥＤ光源１７Ｆに対向した位置にレンズ１２４ａはあるので、撮像素子は可視光を受光することになる。一眼レフカメラ１Ｆは受光した可視光を復調して、ＧＰＳ回路が計測した位置情報を取得する。
【００３５】
−変形例−
以上の実施の形態を次のように変形することができる。
（１）以上の実施の形態では、ＧＰＳ用アンテナを保護部材に設けたが、保護部材に設けるアンテナは、無線電波を受信するアンテナ（ＲＦ（Radio Frequency）系のアンテナ）であればＧＰＳ用アンテナに限定されない。たとえば、図９に示す撮像装置１Ｇのように、ＴＶアンテナ１３１Ｇを保護部材１０Ｇに設けるようにしてもよい。この場合、ＴＶアンテナ１３１Ｇは、制御回路１０１に接続されたＴＶチューナ１３２Ｇに接続され、ユーザは、撮像装置１Ｇでテレビ番組を視聴することができる。ＴＶアンテナ１３２Ｇには、１セグメント地上デジタル放送受信用アンテナ、ＣＳ（Communication Satellite）放送受信用アンテナ、ＢＳ（Broadcasting Satellite）放送受信用アンテナも含まれる。保護部材１０Ｇに設けるアンテナは、その他、無線ＬＡＮ（Local Area Network）用アンテナ、ラジオ放送受信用アンテナでもよい。アンテナの面積を大きくすることができ、受信方向も変更することができるので、本発明はこれらのアンテナにも好適である。
【００３６】
（２）ＧＰＳ用アンテナで受信した電波の受信強度を撮像装置や一眼レフカメラに設けられた表示器に表示するようにしてもよい。たとえば、撮像装置１Ｈの場合、図１０に示すように、ＧＰＳ用アンテナで受信した電波の受信強度をインジケータ２１で表示モニタ１０４に表示するようにしてもよい。インジケータ２１に表示するバーの数を変更することによって、ＧＰＳ用アンテナにより受信された電波の受信強度を表示する。電波強度が強いとき、図１０（ａ）に示すように、インジケータ２１に表示するバーの数を３本にする。電波強度が中程度のとき、図１０（ｂ）に示すように、インジケータ２１に表示するバーの数を２本にする。電波強度が弱いとき、図１０（ｃ）に示すように、インジケータ２１に表示するバーの数を１本にする。ユーザは、インジケータ２１を見ながら保護部材や開閉カバーの向きを変えることにより、ＧＰＳ用アンテナの受信面の方向を最適にすることができる。
【００３７】
なお、受信強度をインジケータ２１で表示したが、ユーザが受信強度を認識できれば、受信強度を表示する表示方法はインジケータ２１による表示に限定されない。たとえば、受信強度を数値化して、表示モニタ１０４に表示してもよい。また、インジケータ２１の表示を決定する受信強度は、受信強度の最も強い３つの人工衛星から送信された電波の電波強度の平均値でもよいし、受信強度の最も強い３つの人工衛星から送信された電波の電波強度の中の最低値でもよく、ＧＰＳ測位の精度を高めるための指標となる受信強度であれば特に限定されない。
【００３８】
（３）撮像装置や一眼レフカメラの不図示の電源スイッチがオフ状態になっているとき、保護部材や開放カバーが開放されると、ＧＰＳ回路に電力を供給してＧＰＳ回路をオン状態にし、ＧＰＳ回路による測位を開始するようにしてもよい。前もってＧＰＳ回路を起動することにより、ユーザは、撮像装置や一眼レフカメラ全体がオン状態になってからすぐに撮影した画像の画像データに位置情報を付加することができる。ＧＰＳ回路が動作を開始してから撮像装置や一眼レフカメラの位置を計測するまで３０秒程度がかかり、その間、撮影した画像の画像データに位置情報を付加できないからである。この場合、保護部材や開閉カバーの開放を検出するセンサを保護部材や開閉カバーなどに設ける。
【００３９】
次に、撮像装置１Ａを例にあげ、上述のＧＰＳ回路起動処理について図１１のフローチャートを参照して説明する。図１１の処理は、制御回路１０１において実行される。撮像装置１Ａには、撮像装置１Ａ全体をオン状態にする不図示の電源スイッチが設けられているものとして説明する。
【００４０】
ステップＳ１１０１では、電源スイッチがオン状態であるか否かを判定する。電源スイッチがオン状態である場合はステップＳ１１０１が肯定判定され、ステップＳ１１０８へ進む。電源スイッチがオフ状態である場合はステップＳ１１０１が否定判定され、ステップＳ１１０２へ進む。ステップＳ１１０２では、保護部材１０Ａが開放されたか否かを判定する。保護部材１０Ａが開放された場合はステップＳ１１０２が肯定判定され、ステップＳ１１０３へ進む。保護部材１０Ａが開放されていない場合はステップＳ１１０２が否定判定され、ステップＳ１１０９へ進む。ステップＳ１１０３では、ＧＰＳ回路１３２Ａをオン状態にする。ＧＰＳ回路１３２Ａは、オン状態になると測位を開始する。
【００４１】
ステップＳ１１０４では、レリーズボタン１０３Ａが半押しされたか否かを判定する。ここで半押しとは、ユーザがレリーズスイッチ１０３Ａを軽く抵抗を感じるところまで押して、そのまま指を止めるレリーズスイッチ１０３Ａの押圧状態をいう。レリーズボタン１３０Ａが半押しされた場合はステップＳ１１０４が肯定判定され、ステップＳ１１０５へ進む。レリーズボタン１３０Ａが半押しされない場合はステップＳ１１０４が否定判定され、ステップＳ１１０２に戻る。ステップＳ１１０５では、撮像装置１ＡのＧＰＳ回路１３２Ａ以外の部分についてもオン状態にする。
【００４２】
ステップＳ１１０６では、電源スイッチがオン状態であるか否かを判定する。電源スイッチがオン状態である場合はステップＳ１１０６が肯定判定され、ステップＳ１１０７へ進む。電源スイッチがオフ状態である場合はステップＳ１１０６が否定判定され、ステップＳ１１０９へ進む。ステップＳ１１０７では、保護部材１０Ａが開放されたか否かを判定する。保護部材１０Ａが開放された場合はステップＳ１１０７が肯定判定され、ステップＳ１１０６に戻る。保護部材１０Ａが閉じられた場合はステップＳ１１０７が否定判定され、ステップＳ１１０９へ進む。
【００４３】
ステップＳ１１０８では、撮像装置１Ａの全体の電源をオン状態にする。このとき、ＧＰＳ回路１３２Ａも、ＧＰＳ回路１３２Ａ以外の部分もオン状態にする。そして、ステップＳ１１０６へ進む。ステップＳ１１０９では、撮像装置１Ａの全体の電源をオフ状態にする。そして、ステップＳ１１０１に戻る。
【００４４】
上述のＧＰＳ回路起動処理の代わりに、撮像装置１Ａの不図示の電源スイッチがオフ状態になっているとき、保護部材１０Ａが開放されると、ＧＰＳ回路１３２Ａによる測位を開始し、保護部材１０Ａが開放されてから所定時間後に、撮像装置１ＡのＧＰＳ回路１３２Ａ以外の部分についてオン状態になるようにしてもよい。この場合も、ユーザは、撮像装置１Ａ全体がオン状態になってからすぐに撮影した画像の画像データに位置情報を付加することができる。
【００４５】
また、保護部材１０Ａが開放されると、ＧＰＳ回路１３２Ａによる測位が開始されるとともに撮像装置１Ａのその他の部分もオン状態になるようにしてもよい。不図示の電源スイッチを操作する必要がないので、便利である。
【００４６】
（４）保護部材にＴＶアンテナが設けられている場合、以下のようにしてもよい。たとえば、図８に示す保護部材１０ＧにＴＶアンテナ１３１Ｇが設けられている場合、保護部材１０Ｇを開放することによりユーザが表示モニタ１０４およびスピーカ１０５でＴＶ番組を視聴できるようにしてもよい。簡単な操作で、ＴＶ番組の視聴を開始することができ、便利である。また、ＴＶ番組視聴中に、レリーズボタン１０３Ａを半押しすると、撮像部１２０が逐次撮影している画像が表示モニタ１０４に表示されるようにしてもよい。簡単な操作で、ＴＶ番組視聴の状態から撮影を行える状態に撮像装置１Ｇを切り替えることができ、便利である。
【００４７】
（５）保護部材に無線ＬＡＮ用アンテナが設けられている場合、以下のようにしてもよい。つまり、ユーザが保護部材または開閉カバーを開放すると、メモリカード１５０から読み出した画像データが無線ＬＡＮ用アンテナを通じて送信されるようにしてもよい。簡単な操作で、メモリカード１５０に記録した画像データ、とくに、送信先が指定された画像の画像データを送信することができ、便利である。また、ユーザが保護部材または開閉カバーを閉じると、メモリカード１５０から読み出した画像データが無線ＬＡＮ用アンテナを通じて送信されるようにしてもよい。撮影終了後は、保護部材や開閉カバーを閉じるので、撮影終了後に、撮影された画像データが無線ＬＡＮ用アンテナを通じて自動的に外部機器（パーソナルコンピュータ、プリンタなど）へ送信されるので、便利である。
【００４８】
（６）保護部材にラジオ放送受信アンテナが設けられている場合、ユーザが保護部材または開閉カバーを開放すると、ラジオ放送がスピーカ１０５から出力されるようにしてもよい。簡単な操作で、ラジオ放送を聞くことができ、便利である。また、ラジオ放送がスピーカ１０５から出力されているとき、レリーズボタン１０３Ａが半押しされると、ラジオ放送の出力が停止するようにしてもよい。簡単な操作で、ラジオ放送の出力を終了することができ、便利である。
【００４９】
（７）一眼レフカメラのレンズフードにＧＰＳ用アンテナの機能を持たせるようにしてもよい。レンズフードは、交換レンズにおける先端の外周を囲うように設けられている。したがって、交換レンズの光学系の光軸を中心に回転して撮像装置を傾けても、レンズフードの一部は常に天上方向に向いているので、人工衛星からの電波を効率的に受信することができる。また、レンズフードを交換レンズの光学系の光軸を中心に回動可能とした上で、光軸レンズフードの一部にＧＰＳ用アンテナを内蔵するようにしてもよい。レンズフードを回転することにより、ＧＰＳ用アンテナを天上側の位置に移動することができる。
【００５０】
（８）第１の実施の形態の撮像装置１Ａの保護部材１０ＡにＧＰＳ用アンテナと、ＧＰＳ回路と、電源とを内蔵するようにしてもよい。さらに、保護部材１０Ａを撮像装置１Ａから脱着可能とするようにしてもよい。また、第２の実施の形態の一眼レフカメラ１Ｂの保護部材１０Ｂにおける開閉カバー１３ＢにＧＰＳ用アンテナと、ＧＰＳ回路と、電源とを内蔵するようにしてもよい。
【００５１】
以上の実施の形態において、アンテナを内蔵する部材は、光学系のレンズを遮光する遮光部材であれば、レンズカバー、レンズバリア、レンズキャップなどに限定されない。遮光部材はレンズを覆うので、面積が大きいからである。
【００５２】
以上の実施形態と変形例の一つ、もしくは複数を組み合わせることも可能である。変形例同士をどのように組み合わせることも可能である。
【００５３】
以上の説明はあくまで一例であり、本発明は上記実施形態の構成に何ら限定されるものではない。
【図面の簡単な説明】
【００５４】
【図１】図１（ａ）は本発明の第１の実施形態の撮像素子の保護部材を閉じたときの斜視図であり、図１（ｂ）は保護部材を開いたときの斜視図である。
【図２】本発明の第１の実施の形態における撮像装置の構成を説明するブロック図である。
【図３】図３（ａ）は保護部材をボールジョイントで本体に取り付けた撮像装置の正面図であり、図３（ｂ）は直角をなす２つの軸心で保護部材を本体に回転可能に取り付けた撮像装置の斜視図である。
【図４】図４（ａ）は本発明の第２の実施形態における開閉カバーを閉じたときの一眼レフカメラの斜視図であり、図４（ｂ）は開閉カバーを開いたときの一眼レフカメラの斜視図であり、図４（ｃ）は開閉カバーを開いた保護部材を回転させたときの一眼レフカメラの斜視図である。
【図５】図５（ａ）は保護部材を外したときの一眼レフカメラの斜視図であり、図５（ｂ）は保護部材取付け部を説明するための図である。
【図６】本発明の第３の実施の形態における一眼レフカメラの斜視図である。
【図７】本発明の第３の実施の形態における一眼レフカメラの使用例を説明するための図である。
【図８】保護部材の開閉カバーから一眼レフカメラの位置情報を可視光で送信することができる一眼レフカメラの正面図である。
【図９】保護部材にＴＶアンテナを備えた撮像装置の構成を説明するブロック図である。
【図１０】図１０（ａ）は人工衛星からの電波の受信強度が強いときのインジケータを示す撮像装置の背面図であり、図１０（ｂ）は人工衛星からの電波の受信強度が中程度のときのインジケータを示す撮像装置の背面図であり、図１０（ｃ）は人工衛星からの電波の受信強度が弱いときのインジケータを示す撮像装置の背面図である。
【図１１】ＧＰＳ回路起動処理を説明するフローチャートである。
【符号の説明】
【００５５】
１Ａ〜１Ｃ，１Ｇ，１Ｈ  撮像装置
１Ｄ〜１Ｆ  一眼レフカメラ
１０Ａ〜１０Ｇ  保護部材
１１Ｂ  ボールジョイント
１３Ｄ〜１３Ｆ  開閉カバー
１４Ｄ〜１４Ｆ  保護部材取付け部
１５Ｄ  ヒンジ
１６Ｅ  挟み部材
１７Ｆ  ＬＥＤ光源
１０１  制御回路
１０４  表示モニタ
１２１ａ，１２４ａ  レンズ
１２４  交換レンズ
１３１Ａ，１３１Ｅ，１３１Ｇ  ＧＰＳ用アンテナ
１３２Ａ，１３２Ｅ，１３２Ｇ  ＧＰＳ回路
１３３Ｅ  ＧＰＳ回路用電源
【図１】
2009282072.tif 000003
【図２】
2009282072.tif 000004
【図３】
2009282072.tif 000005
【図４】
2009282072.tif 000006
【図５】
2009282072.tif 000007
【図６】
2009282072.tif 000008
【図７】
2009282072.tif 000009
【図８】
2009282072.tif 000010
【図９】
2009282072.tif 000011
【図１０】
2009282072.tif 000012
【図１１】
2009282072.tif 000013